(57)【要約】      （修正有）【課題】自動で騒音汚染防止可能なインテリジェントホームファニシングを提供する。【解決手段】壁11の中には前方に開口した連通チャンバ24が設置され、連通チャンバ24の後側内壁の中には後方に開口したリミットチャンバ23が連通するように設置され、連通チャンバ24の左側内壁の中には収納チャンバ12が連通するように設置され、リミットチャンバ23の左側内壁が収納チャンバ24に連通しており、収納チャンバ12の中にはスライド可能なフレーム27が上下対称的に設置され、一つの固定的に取り付けられた遮音板と二つのスライドできるように取り付けられた遮音板とによって三層の遮音窓を構成し、近接している二つの遮音板の間には振動可能な反射薄膜があり、騒音音波の反射を強化する。【選択図】図１
2020204244.tif 000002
【特許請求の範囲】
【請求項１】
正面視で、壁を含み、
前記壁の中には前方に開口した連通チャンバが設置され、前記連通チャンバの後側内壁の中には後方に開口したリミットチャンバが連通するように設置され、前記連通チャンバの左側内壁の中には収納チャンバが連通するように設置され、前記リミットチャンバの左側内壁が前記収納チャンバに連通しており、前記収納チャンバの中にはスライド可能なフレームが上下対称的に設置され、
前記連通チャンバの上下両側の内壁の中にはスライド溝が対称的に、且つ連通するように形成されており、前記スライド溝の左側内壁が前記収納チャンバに連通しており、前記フレームは前記スライド溝に沿ってスライドでき、
両側の前記フレームの間には遮音装置と振動装置とが連結され、前記フレームは前記遮音装置を連動させて前記連通チャンバの中に滑り込ませて前記リミットチャンバを遮ることができ、前記振動装置は前記遮音装置の遮音効果を高められ、
上側の前記フレームの中には駆動装置が設置され、前記駆動装置は前記遮音装置と前記振動装置とを一緒に駆動でき、
前記収納チャンバの左側内壁の中には平行移動装置が設置され、前記平行移動装置は前記フレームを駆動してスライドさせることができ、前記壁の後端には騒音計が固定的に連結され、前記騒音計によって室外の騒音の大きさをリアルタイムに監視し、前記騒音計は前記平行移動装置に通電できるように連結されていることができることを特徴とする自動で騒音汚染防止可能なインテリジェントホームファニシング。
【請求項２】
前記スライド溝の右側内壁の中には連通溝が連通するように形成されており、前記連通溝の右側内壁には接触スイッチが固定的に設置され、前記フレームの右端が前記連通溝の中に滑り込んで前記接触スイッチと接触した時に、前記平行移動装置を止め、こうして前記遮音装置は前記リミットチャンバと室内とをちょうど完全に仕切り、前記連通溝のうち対称中心から離れている片側内壁の中にはバネ溝が連通するように形成されており、前記バネ溝の中には引っ掛かりブロックがスライドできるように設置され、前記引っ掛かりブロックのうち対称中心から離れている一端と前記バネ溝のうち対称中心から離れている片側内壁との間には電磁バネが固定的に連結され、前記フレームの中には引っ掛かり溝が上下に貫通するように形成されていることを特徴とする請求項１に記載の自動で騒音汚染防止可能なインテリジェントホームファニシング。
【請求項３】
前記駆動装置は上側の前記フレームの中に設置された空きチャンバを含み、前記空きチャンバの中には固定ギヤが回転できるように設置され、前記固定ギヤの中にはモーター軸が固定的に連結され、前記空きチャンバの後側内壁の中には小モーターが固定的に設置され、前記小モーターが前記接触スイッチに通電できるように連結され、前記モーター軸の後端が前記小モーターに動力が伝達できるように連結され、
前記固定ギヤの下端にはスライド可能なスライドギヤが噛み合うように設置され、前記スライドギヤの中には快速スクリューがスプラインによって連結され、前記快速スクリューの前端が前記遮音装置に連結され、前記スライドギヤの前端にはプッシュロッドが回転できるように連結され、前記プッシュロッドの前端が前記遮音装置に連結され、前記プッシュロッドと前記快速スクリューとの間が回転できるように連結され、
前記空きチャンバの前側内壁の中にはギヤチャンバが設置され、前記モーター軸の前端が前記ギヤチャンバの中に伸びており、また前記モーター軸の前端には主動ギヤが固定的に連結され、前記主動ギヤの左端には従動ギヤが噛み合うように設置され、前記従動ギヤの後端には連結軸が固定的に連結され、前記従動ギヤの後側には前記連結軸の外面に固定的に連結された扇状ギヤが回転できるように設置され、前記扇状ギヤの前後両端には平歯車が対称的に、且つ噛み合うことができるように設置され、前記平歯車の中には長回転軸が固定的に連結され、前記長回転軸の左端が前記振動装置に連結されていることを特徴とする請求項１に記載の自動で騒音汚染防止可能なインテリジェントホームファニシング。
【請求項４】
前記空きチャンバの前側内壁の中には抜き孔が連通するように設置され、前記抜き孔の上側内壁の中には復帰溝が連通するように形成されており、前記復帰溝の中には連結ブロックがスライドできるように設置され、前記連結ブロックの下端には前記プッシュロッドが固定的に連結され、前記連結ブロックの後端と前記復帰溝の後側内壁との間には復帰バネが固定的に連結されていることを特徴とする請求項３に記載の自動で騒音汚染防止可能なインテリジェントホームファニシング。
【請求項５】
前記遮音装置は前記フレームの中に対称中心に向いて開口するように形成された凹溝を含み、上側の前記凹溝の後側内壁が前記抜き孔に連通しており、前記プッシュロッドの前端が伸びて上側の前記凹溝の中に入り、前記快速スクリューの前端が上側の前記凹溝の前側内壁に回転できるように連結され、
両側の前記凹溝のうち対称中心から離れている片側内壁の間には中間仕切り板が固定的に連結され、前記中間仕切り板と前記快速スクリューとの間が回転できるように連結され、両側の前記凹溝の間には前仕切り板と後仕切り板とが前後へスライドできるように設置され、前記前仕切り板が前記中間仕切り板の前側に位置しており、前記後仕切り板が前記中間仕切り板の後側に位置しており、前記前仕切り板と前記後仕切り板とが前記快速スクリューにネジ山によって連結されていることを特徴とする請求項１に記載の自動で騒音汚染防止可能なインテリジェントホームファニシング。
【請求項６】
両側の前記凹溝の前後内壁の間には三本の固定軸が固定的に連結され、前記前仕切り板と前記後仕切り板とが前記固定軸にスライドできるように連結され、前記中間仕切り板が前記固定軸に固定的に連結されていることを特徴とする請求項５に記載の自動で騒音汚染防止可能なインテリジェントホームファニシング。
【請求項７】
前記振動装置は前記凹溝のうち対称中心から離れている片側内壁の中に設置された膜巻きチャンバを含み、前記膜巻きチャンバの中には膜巻き輪が前後対称的に、且つ回転できるように設置され、上下二つの前記膜巻き輪の間には反射薄膜が巻き付いており、前側の前記反射薄膜が前記前仕切り板と前記中間仕切り板との間に位置しており、後側の前記反射薄膜が前記中間仕切り板と前記後仕切り板との間に位置しており、二本の前記長回転軸の左端が伸びて上側の前記膜巻きチャンバの中に入り、上側の二つの前記膜巻き輪がそれぞれ二本の前記長回転軸に固定的に連結され、下側の二つの前記膜巻き輪の中には捻れ軸が固定的に連結され、前記捻れ軸が下側の前記膜巻きチャンバの左右内壁の間に回転できるように連結されていることを特徴とする請求項１に記載の自動で騒音汚染防止可能なインテリジェントホームファニシング。
【請求項８】
下側の前記膜巻き輪の左右両端と下側の前記膜巻きチャンバの左右内壁の間にはトーションバネが固定的に連結されていることを特徴とする請求項７に記載の自動で騒音汚染防止可能なインテリジェントホームファニシング。
【請求項９】
前記平行移動装置は前記収納チャンバの上下両側内壁の中に上下対称的に、且つ連通するように形成されたスライドガイド溝を含み、前記スライドガイド溝の中にはスライドガイドブロックがスライドできるように設置され、前記スライドガイドブロックのうち対称中心に近接した一端がそれぞれ上下両側の前記フレームに固定的に連結され、前記スライドガイド溝の左右両側内壁の間には緩速スクリューが回転できるように連結され、前記スライドガイドブロックが前記緩速スクリューにネジ山によって連結され、
前記スライドガイド溝の左側内壁の中には減速チャンバが設置され、前記減速チャンバの中にはウォームホイールが回転できるように設置され、前記緩速スクリューの左端が伸びて前記減速チャンバの中に入っており、且つ前記ウォームホイールに固定的に連結され、前記ウォームホイールの下端にはウィームが噛み合うように設置され、前記ウィームの中にはタイミング軸が固定的に連結され、前記減速チャンバの前側内壁の中には伝動チャンバが設置され、前記タイミング軸の前端が伸びて前記伝動チャンバの中に入っており、また前記タイミング軸の前端にはタイミングプーリが固定的に連結され、両側の前記タイミングプーリの間にはタイミングベルトが連結され、前記伝動チャンバの前側内壁の中にはステッピングモーターが固定的に設置され、前記ステッピングモーターが前記騒音計と前記接触スイッチとに通電できるように連結され、上側の前記タイミング軸の前端が前記ステッピングモーターに動力が伝達できるように連結されていることを特徴とする請求項１に記載の自動で騒音汚染防止可能なインテリジェントホームファニシング。
【発明の詳細な説明】
【技術分野】
【０００１】
本発明はインテリジェントホーム分野に関わり、具体的には自動で騒音汚染防止可能なインテリジェントホームファニシングである。
【背景技術】
【０００２】
騒音は発声体が不規則な振動を行う時に生じた音であり、音は物体の振動によって生み出され、波の形態で一定の媒質の中で伝搬され、普通の生活の中に、室外の騒音はドアや窓を通り抜けて室内に進入して人の活動や勉強や休憩などに影響を及ぼし、このような人と周りの環境に不良な影響をもたらす騒音は騒音汚染を形成し、一般的に家に多層の構成を持つ窓を取り付けることで室外の騒音を遮断し、しかし二層の構成を持つ窓は遮音効果が悪く、三層の構成を持つ窓は遮音効果がよいが、上手な従業員に頼んでその窓を取り付けることが必要であり、また取付のステップが煩雑で、コストも高く、そのほか、手動で窓を開け又は閉めるのであり、使用が面倒くさく、本発明は自動で騒音汚染防止可能なインテリジェントホームファニシングを開示し、上記の問題を解決でき、本発明は一つの固定的に取り付けられた遮音板と二つのスライドできるように取り付けられた遮音板とによって構成された三層の遮音窓を構成し、遮音の効果がよくなって取り付けるコストも低くなり、近接している二つの遮音板の間には振動可能な反射薄膜があり、騒音音波の反射を強化し、また室内に入る騒音を減少し、遮音効果を向上させ、また騒音計によって室外の騒音の大きさを監視し、それに自動的に窓を開け又は閉めることを制御できる。
【先行技術文献】
【特許文献】
【０００３】
【特許文献１】中国特許出願公開第１０４４８１１００号明細書
【発明の概要】
【発明が解決しようとする課題】
【０００４】
技術上の問題：
二層の構成の窓は遮音効果が悪く、三層の構成の窓は取り付けのステップは煩雑で、取り付けのコストも高い。
【課題を解決するための手段】
【０００５】
上記の問題を解決するために、本発明の実施例は自動で騒音汚染防止可能なインテリジェントホームファニシングをデザインした。本発明の実施例の自動で騒音汚染防止可能なインテリジェントホームファニシングは、壁を含み、前記壁の前側が室内とされ、前記壁の後側が室外とされ、前記壁の中には前方に開口した連通チャンバが設置され、前記連通チャンバの後側内壁の中には後方に開口したリミットチャンバが連通するように設置され、前記リミットチャンバの断面積は前記連通チャンバの断面積より小さく、室外の騒音は前記リミットチャンバと前記連通チャンバとを通って室内に入ることができ、前記連通チャンバの左側内壁の中には収納チャンバが連通するように設置され、前記リミットチャンバの左側内壁が前記収納チャンバに連通しており、前記収納チャンバの中にはスライド可能なフレームが上下対称的に設置され、前記連通チャンバの上下両側の内壁の中にはスライド溝が対称的に、且つ連通するように形成されており、前記スライド溝の左側内壁が前記収納チャンバに連通しており、前記フレームは前記スライド溝に沿ってスライドでき、両側の前記フレームの間には遮音装置と振動装置とが連結され、前記フレームは前記遮音装置を連動させて前記連通チャンバの中に滑り込ませて前記リミットチャンバを遮ることができ、さらに前記リミットチャンバと室内とを仕切り、さらに室内に入る騒音を減少でき、前記振動装置は前記遮音装置の遮音効果を高められ、上側の前記フレームの中には駆動装置が設置され、前記駆動装置は前記遮音装置と前記振動装置とを一緒に駆動でき、前記収納チャンバの左側内壁の中には平行移動装置が設置され、前記平行移動装置は前記フレームを駆動してスライドさせることができ、前記壁の後端には騒音計が固定的に連結され、前記騒音計によって室外の騒音の大きさをリアルタイムに監視し、前記騒音計は前記平行移動装置に通電できるように連結され、前記騒音計によって監視された室外の騒音は大きい時に、前記平行移動装置を始動し、それによって前記フレームを駆動して前記スライド溝の中に滑り込ませ、前記遮音装置と前記振動装置とを通して音を遮断し、前記騒音計によって監視された室外の騒音が小さい時に、前記平行移動装置を始動し、それによって前記フレームを駆動して前記収納チャンバの中に滑り込ませ、この時に室内と室外とが連通される。
【０００６】
好ましくは、前記スライド溝の右側内壁の中には連通溝が連通するように形成されており、前記連通溝の右側内壁には接触スイッチが固定的に設置され、前記フレームの右端が前記連通溝の中に滑り込んで前記接触スイッチと接触した時に、前記平行移動装置を止め、こうして前記遮音装置は前記リミットチャンバと室内とをちょうど完全に仕切り、前記連通溝のうち対称中心から離れている片側内壁の中にはバネ溝が連通するように形成されており、前記バネ溝の中には引っ掛かりブロックがスライドできるように設置され、前記引っ掛かりブロックのうち対称中心から離れている一端と前記バネ溝のうち対称中心から離れている片側内壁との間には電磁バネが固定的に連結され、前記電磁バネを通電させると、前記電磁バネは長く伸びて前記引っ掛かりブロックを押し動かしてスライドさせ、前記フレームの中には引っ掛かり溝が上下に貫通するように形成されており、前記フレームの右端が前記接触スイッチと接触した時、前記引っ掛かりブロックが前記引っ掛かり溝に正対し、この時に前記引っ掛かりブロックはスライドして前記引っ掛かり溝の中に伸びて前記フレームを引っ掛からせることができ、それによって前記フレームがスライドすることを避けられる。
【０００７】
有益なように、前記駆動装置は上側の前記フレームの中に設置された空きチャンバを含み、前記空きチャンバの中には固定ギヤが回転できるように設置され、前記固定ギヤの中にはモーター軸が固定的に連結され、前記空きチャンバの後側内壁の中には小モーターが固定的に設置され、前記小モーターが前記接触スイッチに通電できるように連結され、前記モーター軸の後端が前記小モーターに動力が伝達できるように連結され、前記固定ギヤの下端にはスライド可能なスライドギヤが噛み合うように設置され、前記スライドギヤの中には快速スクリューがスプラインによって連結され、前記快速スクリューの前端が前記遮音装置に連結され、前記スライドギヤの前端にはプッシュロッドが回転できるように連結され、前記プッシュロッドの前端が前記遮音装置に連結され、前記プッシュロッドと前記快速スクリューとの間が回転できるように連結され、前記空きチャンバの前側内壁の中にはギヤチャンバが設置され、前記モーター軸の前端が前記ギヤチャンバの中に伸びており、また前記モーター軸の前端には主動ギヤが固定的に連結され、前記主動ギヤの左端には従動ギヤが噛み合うように設置され、前記従動ギヤの後端には連結軸が固定的に連結され、前記従動ギヤの後側には前記連結軸の外面に固定的に連結された扇状ギヤが回転できるように設置され、前記扇状ギヤの前後両端には平歯車が対称的に、且つ噛み合うことができるように設置され、前記平歯車の中には長回転軸が固定的に連結され、前記長回転軸の左端が前記振動装置に連結されている。
【０００８】
好ましくは、前記空きチャンバの前側内壁の中には抜き孔が連通するように設置され、前記抜き孔の上側内壁の中には復帰溝が連通するように形成されており、前記復帰溝の中には連結ブロックがスライドできるように設置され、前記連結ブロックの下端には前記プッシュロッドが固定的に連結され、前記連結ブロックの後端と前記復帰溝の後側内壁との間には復帰バネが固定的に連結されている。
【０００９】
有益なうように、前記遮音装置は前記フレームの中に対称中心に向いて開口するように形成された凹溝を含み、上側の前記凹溝の後側内壁が前記抜き孔に連通しており、前記プッシュロッドの前端が伸びて上側の前記凹溝の中に入り、前記快速スクリューの前端が上側の前記凹溝の前側内壁に回転できるように連結され、両側の前記凹溝のうち対称中心から離れている片側内壁の間には中間仕切り板が固定的に連結され、前記中間仕切り板と前記快速スクリューとの間が回転できるように連結され、両側の前記凹溝の間には前仕切り板と後仕切り板とが前後へスライドできるように設置され、前記前仕切り板が前記中間仕切り板の前側に位置しており、前記後仕切り板が前記中間仕切り板の後側に位置しており、前記前仕切り板と前記後仕切り板とが前記快速スクリューにネジ山によって連結され、また前記前仕切り板と前記後仕切り板とのネジ山による連結する方向は逆である。
【００１０】
好ましくは、両側の前記凹溝の前後内壁の間には三本の固定軸が固定的に連結され、前記前仕切り板と前記後仕切り板とが前記固定軸にスライドできるように連結され、前記中間仕切り板が前記固定軸に固定的に連結され、前記固定軸は前記前仕切り板と、前記後仕切り板とのスライドをガイドすることができる。
【００１１】
有益なように、前記振動装置は前記凹溝のうち対称中心から離れている片側内壁の中に設置された膜巻きチャンバを含み、前記膜巻きチャンバの中には膜巻き輪が前後対称的に、且つ回転できるように設置され、上下二つの前記膜巻き輪の間には反射薄膜が巻き付いており、前側の前記反射薄膜が前記前仕切り板と前記中間仕切り板との間に位置しており、後側の前記反射薄膜が前記中間仕切り板と前記後仕切り板との間に位置しており、二本の前記長回転軸の左端が伸びて上側の前記膜巻きチャンバの中に入り、上側の二つの前記膜巻き輪がそれぞれ二本の前記長回転軸に固定的に連結され、下側の二つの前記膜巻き輪の中には捻れ軸が固定的に連結され、前記捻れ軸が下側の前記膜巻きチャンバの左右内壁の間に回転できるように連結されている。
【００１２】
好ましくは、下側の前記膜巻き輪の左右両端と下側の前記膜巻きチャンバの左右内壁の間にはトーションバネが固定的に連結されている。
【００１３】
有益なように、前記平行移動装置は前記収納チャンバの上下両側内壁の中に上下対称的に、且つ連通するように形成されたスライドガイド溝を含み、前記スライドガイド溝の中にはスライドガイドブロックがスライドできるように設置され、前記スライドガイドブロックのうち対称中心に近接した一端がそれぞれ上下両側の前記フレームに固定的に連結され、前記スライドガイド溝の左右両側内壁の間には緩速スクリューが回転できるように連結され、前記スライドガイドブロックが前記緩速スクリューにネジ山によって連結され、前記スライドガイド溝の左側内壁の中には減速チャンバが設置され、前記減速チャンバの中にはウォームホイールが回転できるように設置され、前記緩速スクリューの左端が伸びて前記減速チャンバの中に入っており、且つ前記ウォームホイールに固定的に連結され、前記ウォームホイールの下端にはウィームが噛み合うように設置され、前記ウィームの中にはタイミング軸が固定的に連結され、前記減速チャンバの前側内壁の中には伝動チャンバが設置され、前記タイミング軸の前端が伸びて前記伝動チャンバの中に入っており、また前記タイミング軸の前端にはタイミングプーリが固定的に連結され、両側の前記タイミングプーリの間にはタイミングベルトが連結され、前記伝動チャンバの前側内壁の中にはステッピングモーターが固定的に設置され、前記ステッピングモーターが前記騒音計と前記接触スイッチとに通電できるように連結され、上側の前記タイミング軸の前端が前記ステッピングモーターに動力が伝達できるように連結されている。
【発明の効果】
【００１４】
本発明の有益な効果は：本発明は一つの固定的に取り付けられた遮音板と二つのスライドできるように取り付けられた遮音板とによって三層の遮音窓を構成し、遮音の効果がよくなって取り付けるコストも低くなり、近接している二つの遮音板の間には振動可能な反射薄膜があり、騒音音波の反射を強化し、また室内に入る騒音を減少し、遮音効果を向上させ、また騒音計によって室外の騒音の大きさを監視し、それに自動的に窓を開け又は閉めることを制御できる。
【図面の簡単な説明】
【００１５】
説明しやすいために、本発明を下記の具体的な実施例及び附図をもって詳しく説明する。下記に図１〜９をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の自動で騒音汚染防止可能なインテリジェントホームファニシングの全体構成概略図
【図２】図２は図１の「Ａ―Ａ」方向の構成概略図
【図３】図３は図１の「Ｂ―Ｂ」方向の構成概略図
【図４】図４は図１の「Ｃ―Ｃ」方向の構成概略図
【図５】図５は図１の「Ｄ―Ｄ」方向の構成概略図
【図６】図６は図１の「Ｅ」の拡大概略図
【図７】図７は図４の「Ｆ―Ｆ」方向の構成概略図
【図８】図８は図４の「Ｇ―Ｇ」方向の構成概略図
【図９】図９は図５の「Ｈ」の拡大概略図
【発明を実施するための形態】
【００１７】
本発明は自動で騒音汚染防止可能なインテリジェントホームファニシングに関わり、主に室外の騒音汚染を防止するのに用いられ、下記に本発明の附図を合わせて本発明についてさらなる説明を行う。
【００１８】
本発明に記載の自動で騒音汚染防止可能なインテリジェントホームファニシングは、壁１１を含み、前記壁１１の前側が室内とされ、前記壁１１の後側が室外とされ、前記壁１１の中には前方に開口した連通チャンバ２４が設置され、前記連通チャンバ２４の後側内壁の中には後方に開口したリミットチャンバ２３が連通するように設置され、前記リミットチャンバ２３の断面積は前記連通チャンバ２４の断面積より小さく、室外の騒音は前記リミットチャンバ２３と前記連通チャンバ２４とを通って室内に入ることができ、前記連通チャンバ２４の左側内壁の中には収納チャンバ１２が連通するように設置され、前記リミットチャンバ２３の左側内壁が前記収納チャンバ１２に連通しており、前記収納チャンバ１２の中にはスライド可能なフレーム２７が上下対称的に設置され、前記連通チャンバ２４の上下両側の内壁の中にはスライド溝２５が対称的に、且つ連通するように形成されており、前記スライド溝２５の左側内壁が前記収納チャンバ１２に連通しており、前記フレーム２７は前記スライド溝２５に沿ってスライドでき、両側の前記フレーム２７の間には遮音装置１００と振動装置１０２とが連結され、前記フレーム２７は前記遮音装置１００を連動させて前記連通チャンバ２４の中に滑り込ませて前記リミットチャンバ２３を遮ることができ、さらに前記リミットチャンバ２３と室内とを仕切り、さらに室内に入る騒音を減少でき、前記振動装置１０２は前記遮音装置１００の遮音効果を高められ、上側の前記フレーム２７の中には駆動装置１０１が設置され、前記駆動装置１０１は前記遮音装置１００と前記振動装置１０２とを一緒に駆動でき、前記収納チャンバ１２の左側内壁の中には平行移動装置１０３が設置され、前記平行移動装置１０３は前記フレーム２７を駆動してスライドさせることができ、前記壁１１の後端には騒音計３３が固定的に連結され、前記騒音計３３によって室外の騒音の大きさをリアルタイムに監視し、前記騒音計３３は前記平行移動装置１０３に通電できるように連結され、前記騒音計３３によって監視された室外の騒音は大きい時に、前記平行移動装置１０３を始動し、それによって前記フレーム２７を駆動して前記スライド溝２５の中に滑り込ませ、前記遮音装置１００と前記振動装置１０２とを通して音を遮断し、前記騒音計３３によって監視された室外の騒音が小さい時に、前記平行移動装置１０３を始動し、それによって前記フレーム２７を駆動して前記収納チャンバ１２の中に滑り込ませ、この時に室内と室外とが連通される。
【００１９】
有益なように、前記スライド溝２５の右側内壁の中には連通溝４１が連通するように形成されており、前記連通溝４１の右側内壁には接触スイッチ４２が固定的に設置され、前記フレーム２７の右端が前記連通溝４１の中に滑り込んで前記接触スイッチ４２と接触した時に、前記平行移動装置１０３を止め、こうして前記遮音装置１００は前記リミットチャンバ２３と室内とをちょうど完全に仕切り、前記連通溝４１のうち対称中心から離れている片側内壁の中にはバネ溝４５が連通するように形成されており、前記バネ溝４５の中には引っ掛かりブロック４３がスライドできるように設置され、前記引っ掛かりブロック４３のうち対称中心から離れている一端と前記バネ溝４５のうち対称中心から離れている片側内壁との間には電磁バネ４４が固定的に連結され、前記電磁バネ４４を通電させると、前記電磁バネ４４は長く伸びて前記引っ掛かりブロック４３を押し動かしてスライドさせ、前記フレーム２７の中には引っ掛かり溝２６が上下に貫通するように形成されており、前記フレーム２７の右端が前記接触スイッチ４２と接触した時、前記引っ掛かりブロック４３が前記引っ掛かり溝２６に正対し、この時に前記引っ掛かりブロック４３はスライドして前記引っ掛かり溝２６の中に伸びて前記フレーム２７を引っ掛からせることができ、それによって前記フレーム２７がスライドすることを避けられる。
【００２０】
実施例によって、下記に前記駆動装置１０１について詳しく説明し、前記駆動装置１０１は上側の前記フレーム２７の中に設置された空きチャンバ５７を含み、前記空きチャンバ５７の中には固定ギヤ５９が回転できるように設置され、前記固定ギヤ５９の中にはモーター軸５３が固定的に連結され、前記空きチャンバ５７の後側内壁の中には小モーター５８が固定的に設置され、前記小モーター５８が前記接触スイッチ４２に通電できるように連結され、前記モーター軸５３の後端が前記小モーター５８に動力が伝達できるように連結され、前記固定ギヤ５９の下端にはスライド可能なスライドギヤ５６が噛み合うように設置され、前記スライドギヤ５６の中には快速スクリュー２２がスプラインによって連結され、前記快速スクリュー２２の前端が前記遮音装置１００に連結され、前記スライドギヤ５６の前端にはプッシュロッド５４が回転できるように連結され、前記プッシュロッド５４の前端が前記遮音装置１００に連結され、前記プッシュロッド５４と前記快速スクリュー２２との間が回転できるように連結され、前記空きチャンバ５７の前側内壁の中にはギヤチャンバ４９が設置され、前記モーター軸５３の前端が前記ギヤチャンバ４９の中に伸びており、また前記モーター軸５３の前端には主動ギヤ５２が固定的に連結され、前記主動ギヤ５２の左端には従動ギヤ５１が噛み合うように設置され、前記従動ギヤ５１の後端には連結軸５０が固定的に連結され、前記従動ギヤ５１の後側には前記連結軸５０の外面に固定的に連結された扇状ギヤ４７が回転できるように設置され、前記扇状ギヤ４７の前後両端には平歯車４８が対称的に、且つ噛み合うことができるように設置され、前記平歯車４８の中には長回転軸３８が固定的に連結され、前記長回転軸３８の左端が前記振動装置１０２に連結されている。
【００２１】
有益なように、前記空きチャンバ５７の前側内壁の中には抜き孔５５が連通するように設置され、前記抜き孔５５の上側内壁の中には復帰溝６０が連通するように形成されており、前記復帰溝６０の中には連結ブロック６２がスライドできるように設置され、前記連結ブロック６２の下端には前記プッシュロッド５４が固定的に連結され、前記連結ブロック６２の後端と前記復帰溝６０の後側内壁との間には復帰バネ６１が固定的に連結されている。
【００２２】
実施例によって、下記に前記遮音装置１００について詳しく説明し、前記遮音装置１００は前記フレーム２７の中に対称中心に向いて開口するように形成された凹溝２９を含み、上側の前記凹溝２９の後側内壁が前記抜き孔５５に連通しており、前記プッシュロッド５４の前端が伸びて上側の前記凹溝２９の中に入り、前記快速スクリュー２２の前端が上側の前記凹溝２９の前側内壁に回転できるように連結され、両側の前記凹溝２９のうち対称中心から離れている片側内壁の間には中間仕切り板３１が固定的に連結され、前記中間仕切り板３１と前記快速スクリュー２２との間が回転できるように連結され、両側の前記凹溝２９の間には前仕切り板２１と後仕切り板３２とが前後へスライドできるように設置され、前記前仕切り板２１が前記中間仕切り板３１の前側に位置しており、前記後仕切り板３２が前記中間仕切り板３１の後側に位置しており、前記前仕切り板２１と前記後仕切り板３２とが前記快速スクリュー２２にネジ山によって連結され、また前記前仕切り板２１と前記後仕切り板３２とのネジ山による連結する方向は逆である。
【００２３】
有益なように、両側の前記凹溝２９の前後内壁の間には三本の固定軸２８が固定的に連結され、前記前仕切り板２１と前記後仕切り板３２とが前記固定軸２８にスライドできるように連結され、前記中間仕切り板３１が前記固定軸２８に固定的に連結され、前記固定軸２８は前記前仕切り板２１と、前記後仕切り板３２とのスライドをガイドすることができる。
【００２４】
実施例によって、下記に前記振動装置１０２について詳しく説明し、前記振動装置１０２は前記凹溝２９のうち対称中心から離れている片側内壁の中に設置された膜巻きチャンバ３９を含み、前記膜巻きチャンバ３９の中には膜巻き輪４０が前後対称的に、且つ回転できるように設置され、上下二つの前記膜巻き輪４０の間には反射薄膜３０が巻き付いており、前側の前記反射薄膜３０が前記前仕切り板２１と前記中間仕切り板３１との間に位置しており、後側の前記反射薄膜３０が前記中間仕切り板３１と前記後仕切り板３２との間に位置しており、二本の前記長回転軸３８の左端が伸びて上側の前記膜巻きチャンバ３９の中に入り、上側の二つの前記膜巻き輪４０がそれぞれ二本の前記長回転軸３８に固定的に連結され、下側の二つの前記膜巻き輪４０の中には捻れ軸６３が固定的に連結され、前記捻れ軸６３が下側の前記膜巻きチャンバ３９の左右内壁の間に回転できるように連結されている。
【００２５】
有益なように、下側の前記膜巻き輪４０の左右両端と下側の前記膜巻きチャンバ３９の左右内壁の間にはトーションバネ４６が固定的に連結されている。
【００２６】
実施例によって、下記に前記平行移動装置１０３について詳しく説明し、前記平行移動装置１０３は前記収納チャンバ１２の上下両側内壁の中に上下対称的に、且つ連通するように形成されたスライドガイド溝１７を含み、前記スライドガイド溝１７の中にはスライドガイドブロック１８がスライドできるように設置され、前記スライドガイドブロック１８のうち対称中心に近接した一端がそれぞれ上下両側の前記フレーム２７に固定的に連結され、前記スライドガイド溝１７の左右両側内壁の間には緩速スクリュー２０が回転できるように連結され、前記スライドガイドブロック１８が前記緩速スクリュー２０にネジ山によって連結され、前記スライドガイド溝１７の左側内壁の中には減速チャンバ１６が設置され、前記減速チャンバ１６の中にはウォームホイール１５が回転できるように設置され、前記緩速スクリュー２０の左端が伸びて前記減速チャンバ１６の中に入っており、且つ前記ウォームホイール１５に固定的に連結され、前記ウォームホイール１５の下端にはウィーム１３が噛み合うように設置され、前記ウィーム１３の中にはタイミング軸１４が固定的に連結され、前記減速チャンバ１６の前側内壁の中には伝動チャンバ３７が設置され、前記タイミング軸１４の前端が伸びて前記伝動チャンバ３７の中に入っており、また前記タイミング軸１４の前端にはタイミングプーリ３５が固定的に連結され、両側の前記タイミングプーリ３５の間にはタイミングベルト３６が連結され、前記伝動チャンバ３７の前側内壁の中にはステッピングモーター３４が固定的に設置され、前記ステッピングモーター３４が前記騒音計３３と前記接触スイッチ４２とに通電できるように連結され、上側の前記タイミング軸１４の前端が前記ステッピングモーター３４に動力が伝達できるように連結されている。
【００２７】
下記に図１〜９を合わせて本発明の自動で騒音汚染防止可能なインテリジェントホームファニシングの使用ステップを詳しく説明する：
【００２８】
初期状態の時に、フレーム２７が収納チャンバ１２の中に位置しており、室内と室外とがリミットチャンバ２３と連通チャンバ２４とによって連通されており、前仕切り板２１と後仕切り板３２とが中間仕切り板３１に近接しており、且つ反射薄膜３０をきつく挟んでおり、プッシュロッド５４が上側の凹溝２９の中に伸びており、復帰バネ６１が正常状態にあり、引っ掛かりブロック４３がバネ溝４５の中に位置しており、電磁バネ４４が通電していない状態にある。
【００２９】
騒音計３３によって室外の騒音の大きさをリアルタイムに監視し、前記騒音計３３によって監視された室外の騒音は大きい時に、ステッピングモーター３４を始動し、さらに上側のタイミング軸１４によって上側のタイミングプーリ３５を回転連動させ、さらにタイミングベルト３６によって下側のタイミングプーリ３５を回転連動させ、さらに下側のタイミング軸１４を回転連動させ、この時に両側のタイミング軸１４が同期に回転し、タイミング軸１４がウォーム１３を回転連動させ、さらにウォームホイール１５を回転連動させ、さらに緩速スクリュー２０によってスライドガイドブロック１８をスライド連動させ、さらにフレーム２７をスライド連動させてスライド溝２５の中に入らせ、さらに前仕切り板２１と、中間仕切り板３１と後仕切り板３２とをスライド連動させ、且つリミットチャンバ２３に正対させ、フレーム２７が連通溝４１の中に滑り込み、且つ接触スイッチ４２と接触した時に、小モーター５８を始動し、且つステッピングモーター３４を止め、ウォーム１３とウォームホイール１５との間が緩速で回転することで、フレーム２７が緩速でスライドし、衝突することを避け、この時に、引っ掛かりブロック４３が引っ掛かり溝２６に正対し、電磁バネ４４を通電させ、さらに電磁バネ４４が長く伸びて引っ掛かりブロック４３を押し動かしてスライドさせ、さらに引っ掛かりブロック４３が引っ掛かり溝２６の中に滑り込み、且つフレーム２７を引っ掛からせ、小モーター５８がモーター軸５３によって固定ギヤ５９を回転連動させ、さらにスライドギヤ５６を回転連動させ、さらに快速スクリュー２２を回転連動させ、さらに前仕切り板２１と後仕切り板３２とを中間仕切り板３１から離れる方向にスライド連動させ、この時、前仕切り板２１と後仕切り板３２とが反射薄膜３０をきつく挟まなくなり、反射薄膜３０が張らされた状態にあり、後仕切り板３２がプッシュロッド５４と接触した時、後仕切り板３２が抜き孔５５を押し動かしてスライドさせ、さらにスライドギヤ５６をスライド連動させ、スライドギヤ５６が固定ギヤ５９との噛み合いから離脱した時、後仕切り板３２とプッシュロッド５４とがスライドしなくなり、この時、復帰バネ６１は弾力作用の下でプッシュロッド５４をスライド連動させる傾向があり、この時、スライドギヤ５６がちょうど噛み合った状態にあり、スライドギヤ５６が固定ギヤ５９と噛み合い始める時、快速スクリュー２２によって後仕切り板３２をスライド連動させ、さらにプッシュロッド５４によってスライドギヤ５６を押し動かしてスライドさせ、且つ再び固定ギヤ５９との噛み合いから離脱し、この時、後仕切り板３２がちょうどリミットチャンバ２３を仕切り、さらに前仕切り板２１と、中間仕切り板３１と後仕切り板３２とによって室内に入る騒音を減少でき、モーター軸５３が回転し、且つ主動ギヤ５２を回転連動させ、さらに従動ギヤ５１を回転連動させ、さらに連結軸５０によって扇状ギヤ４７を回転連動させ、さらに平歯車４８を周期的に回転連動させ、さらに長回転軸３８を周期的に回転連動させ、さらに上側の膜巻き輪４０を周期的に回転連動させ、且つ反射薄膜３０を巻き付け、さらに反射薄膜３０によって下側の膜巻き輪４０を回転連動させ、さらにトーションバネ４６を捻じ、扇状ギヤ４７が平歯車４８との噛み合いから離脱した時、トーションバネ４６の弾力作用の下で下側の膜巻き輪４０を逆方向に回転連動させ、さらに逆方向に反射薄膜３０を巻き付け、さらに上側の膜巻き輪４０を逆方向に回転連動させ、下側の膜巻き輪４０はトーションバネ４６の弾力作用の下で逆転角度が上側の膜巻き輪４０の逆転角度より小さく、この時、反射薄膜３０が張らさなくなり、且つ緩み状態にあり、この時、反射薄膜３０が前仕切り板２１と、中間仕切り板３１と後仕切り板３２とに正対した面積は増え、さらに反射薄膜３０が騒音音波への反射を強化し、さらに室内に入る騒音を減少でき、遮音効果を向上させ、騒音計３３によって監視された室外の騒音は小さい時、電磁バネ４４を停電させ、さらに電磁バネ４４の弾力作用の下で引っ掛かりブロック４３をスライド連動させ、且つ引っ掛かり溝２６から離脱させ、この時、小モーター５８を逆方向に回転させ、この時、後仕切り板３２が中間仕切り板３１に近接した方向にスライドし、復帰バネ６１の弾力作用の下で、プッシュロッド５４をスライド連動させ、さらにスライドギヤ５６をスライド連動させ、且つ固定ギヤ５９と完全に噛み合わせ、それと同時に前仕切り板２１を中間仕切り板３１に近接した方向にスライド連動させ、それと同時にステッピングモーター３４を逆方向に回転させ、さらにフレーム２７を収納チャンバ１２の中に滑り込ませ、さらに前仕切り板２１と、中間仕切り板３１と、後仕切り板３２とを収納すると同時に室内と室外とを連通する。
【００３０】
本発明の有益な効果は：本発明は一つの固定的に取り付けられた遮音板と二つのスライドできるように取り付けられた遮音板とによって三層の遮音窓を構成し、遮音の効果がよくなって取り付けるコストも低くなり、近接している二つの遮音板の間には振動可能な反射薄膜があり、騒音音波の反射を強化し、また室内に入る騒音を減少し、遮音効果を向上させ、また騒音計によって室外の騒音の大きさを監視し、それに自動的に窓を開け又は閉めることを制御できる。
【００３１】
上記の方式によって、当業者は本発明の範囲内で作動モードに基づいて様々な変わりを行うことができる。
【図１】
2020204244.tif 000003
【図２】
2020204244.tif 000004
【図３】
2020204244.tif 000005
【図４】
2020204244.tif 000006
【図５】
2020204244.tif 000007
【図６】
2020204244.tif 000008
【図７】
2020204244.tif 000009
【図８】
2020204244.tif 000010
【図９】
2020204244.tif 000011
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
正面視で、壁を含み、前記壁の中には前方に開口した連通チャンバが設置され、前記連通チャンバの後側内壁の中には後方に開口したリミットチャンバが連通するように設置され、前記連通チャンバの左側内壁の中には収納チャンバが連通するように設置され、前記リミットチャンバの左側内壁が前記収納チャンバに連通しており、前記収納チャンバの中にはスライド可能なフレームが上下対称的に設置され、前記連通チャンバの上下両側の内壁の中にはスライド溝が対称的に、且つ連通するように形成されており、前記スライド溝の左側内壁が前記収納チャンバに連通しており、前記フレームは前記スライド溝に沿ってスライドでき、両側の前記フレームの間には遮音装置と振動装置とが連結され、前記フレームは前記遮音装置を連動させて前記連通チャンバの中に滑り込ませて前記リミットチャンバを遮ることができ、前記振動装置は前記遮音装置の遮音効果を高められ、上側の前記フレームの中には駆動装置が設置され、前記駆動装置は前記遮音装置と前記振動装置とを一緒に駆動でき、前記収納チャンバの左側内壁の中には平行移動装置が設置され、前記平行移動装置は前記フレームを駆動してスライドさせることができ、前記壁の後端には騒音計が固定的に連結され、前記騒音計によって室外の騒音の大きさをリアルタイムに監視し、前記騒音計は前記平行移動装置に通電できるように連結されていることができ、
前記スライド溝の右側内壁の中には連通溝が連通するように形成されており、前記連通溝の右側内壁には接触スイッチが固定的に設置され、前記フレームの右端が前記連通溝の中に滑り込んで前記接触スイッチと接触した時に、前記平行移動装置を止め、こうして前記遮音装置は前記リミットチャンバと室内とをちょうど完全に仕切り、前記連通溝のうち対称中心から離れている片側内壁の中にはバネ溝が連通するように形成されており、前記バネ溝の中には引っ掛かりブロックがスライドできるように設置され、前記引っ掛かりブロックのうち対称中心から離れている一端と前記バネ溝のうち対称中心から離れている片側内壁との間には電磁バネが固定的に連結され、前記フレームの中には引っ掛かり溝が上下に貫通するように形成され、
前記駆動装置は上側の前記フレームの中に設置された空きチャンバを含み、前記空きチャンバの中には固定ギヤが回転できるように設置され、前記固定ギヤの中にはモーター軸が固定的に連結され、前記空きチャンバの後側内壁の中には小モーターが固定的に設置され、前記小モーターが前記接触スイッチに通電できるように連結され、前記モーター軸の後端が前記小モーターに動力が伝達できるように連結され、前記固定ギヤの下端にはスライド可能なスライドギヤが噛み合うように設置され、前記スライドギヤの中には快速スクリューがスプラインによって連結され、前記快速スクリューの前端が前記遮音装置に連結され、前記スライドギヤの前端にはプッシュロッドが回転できるように連結され、前記プッシュロッドの前端が前記遮音装置に連結され、前記プッシュロッドと前記快速スクリューとの間が回転できるように連結され、前記空きチャンバの前側内壁の中にはギヤチャンバが設置され、前記モーター軸の前端が前記ギヤチャンバの中に伸びており、また前記モーター軸の前端には主動ギヤが固定的に連結され、前記主動ギヤの左端には従動ギヤが噛み合うように設置され、前記従動ギヤの後端には連結軸が固定的に連結され、前記従動ギヤの後側には前記連結軸の外面に固定的に連結された扇状ギヤが回転できるように設置され、前記扇状ギヤの前後両端には平歯車が対称的に、且つ噛み合うことができるように設置され、前記平歯車の中には長回転軸が固定的に連結され、前記長回転軸の左端が前記振動装置に連結され、
前記空きチャンバの前側内壁の中には抜き孔が連通するように設置され、前記抜き孔の上側内壁の中には復帰溝が連通するように形成されており、前記復帰溝の中には連結ブロックがスライドできるように設置され、前記連結ブロックの下端には前記プッシュロッドが固定的に連結され、前記連結ブロックの後端と前記復帰溝の後側内壁との間には復帰バネが固定的に連結され、
前記遮音装置は前記フレームの中に対称中心に向いて開口するように形成された凹溝を含み、上側の前記凹溝の後側内壁が前記抜き孔に連通しており、前記プッシュロッドの前端が伸びて上側の前記凹溝の中に入り、前記快速スクリューの前端が上側の前記凹溝の前側内壁に回転できるように連結され、両側の前記凹溝のうち対称中心から離れている片側内壁の間には中間仕切り板が固定的に連結され、前記中間仕切り板と前記快速スクリューとの間が回転できるように連結され、両側の前記凹溝の間には前仕切り板と後仕切り板とが前後へスライドできるように設置され、前記前仕切り板が前記中間仕切り板の前側に位置しており、前記後仕切り板が前記中間仕切り板の後側に位置しており、前記前仕切り板と前記後仕切り板とが前記快速スクリューにネジ山によって連結され、
両側の前記凹溝の前後内壁の間には三本の固定軸が固定的に連結され、前記前仕切り板と前記後仕切り板とが前記固定軸にスライドできるように連結され、前記中間仕切り板が前記固定軸に固定的に連結され、
前記振動装置は前記凹溝のうち対称中心から離れている片側内壁の中に設置された膜巻きチャンバを含み、前記膜巻きチャンバの中には膜巻き輪が前後対称的に、且つ回転できるように設置され、上下二つの前記膜巻き輪の間には反射薄膜が巻き付いており、前側の前記反射薄膜が前記前仕切り板と前記中間仕切り板との間に位置しており、後側の前記反射薄膜が前記中間仕切り板と前記後仕切り板との間に位置しており、二本の前記長回転軸の左端が伸びて上側の前記膜巻きチャンバの中に入り、上側の二つの前記膜巻き輪がそれぞれ二本の前記長回転軸に固定的に連結され、下側の二つの前記膜巻き輪の中には捻れ軸が固定的に連結され、前記捻れ軸が下側の前記膜巻きチャンバの左右内壁の間に回転できるように連結され、
下側の前記膜巻き輪の左右両端と下側の前記膜巻きチャンバの左右内壁の間にはトーションバネが固定的に連結され、
前記平行移動装置は前記収納チャンバの上下両側内壁の中に上下対称的に、且つ連通するように形成されたスライドガイド溝を含み、前記スライドガイド溝の中にはスライドガイドブロックがスライドできるように設置され、前記スライドガイドブロックのうち対称中心に近接した一端がそれぞれ上下両側の前記フレームに固定的に連結され、前記スライドガイド溝の左右両側内壁の間には緩速スクリューが回転できるように連結され、前記スライドガイドブロックが前記緩速スクリューにネジ山によって連結され、前記スライドガイド溝の左側内壁の中には減速チャンバが設置され、前記減速チャンバの中にはウォームホイールが回転できるように設置され、前記緩速スクリューの左端が伸びて前記減速チャンバの中に入っており、且つ前記ウォームホイールに固定的に連結され、前記ウォームホイールの下端にはウォームが噛み合うように設置され、前記ウォームの中にはタイミング軸が固定的に連結され、前記減速チャンバの前側内壁の中には伝動チャンバが設置され、前記タイミング軸の前端が伸びて前記伝動チャンバの中に入っており、また前記タイミング軸の前端にはタイミングプーリが固定的に連結され、両側の前記タイミングプーリの間にはタイミングベルトが連結され、前記伝動チャンバの前側内壁の中にはステッピングモーターが固定的に設置され、前記ステッピングモーターが前記騒音計と前記接触スイッチとに通電できるように連結され、上側の前記タイミング軸の前端が前記ステッピングモーターに動力が伝達できるように連結されていることを特徴とする自動で騒音汚染防止可能なインテリジェントホームファニシング。
【手続補正２】
【補正対象書類名】明細書
【補正対象項目名】全文
【補正方法】変更
【補正の内容】
【発明の詳細な説明】
【技術分野】
【０００１】
本発明はインテリジェントホーム分野に関わり、具体的には自動で騒音汚染防止可能なインテリジェントホームファニシングである。
【背景技術】
【０００２】
騒音は発声体が不規則な振動を行う時に生じた音であり、音は物体の振動によって生み出され、波の形態で一定の媒質の中で伝搬され、普通の生活の中に、室外の騒音はドアや窓を通り抜けて室内に進入して人の活動や勉強や休憩などに影響を及ぼし、このような人と周りの環境に不良な影響をもたらす騒音は騒音汚染を形成し、一般的に家に多層の構成を持つ窓を取り付けることで室外の騒音を遮断し、しかし二層の構成を持つ窓は遮音効果が悪く、三層の構成を持つ窓は遮音効果がよいが、上手な従業員に頼んでその窓を取り付けることが必要であり、また取付のステップが煩雑で、コストも高く、そのほか、手動で窓を開け又は閉めるのであり、使用が面倒くさく、本発明は自動で騒音汚染防止可能なインテリジェントホームファニシングを開示し、上記の問題を解決でき、本発明は一つの固定的に取り付けられた遮音板と二つのスライドできるように取り付けられた遮音板とによって構成された三層の遮音窓を構成し、遮音の効果がよくなって取り付けるコストも低くなり、近接している二つの遮音板の間には振動可能な反射薄膜があり、騒音音波の反射を強化し、また室内に入る騒音を減少し、遮音効果を向上させ、また騒音計によって室外の騒音の大きさを監視し、それに自動的に窓を開け又は閉めることを制御できる。
【先行技術文献】
【特許文献】
【０００３】
【特許文献１】中国特許出願公開第１０４４８１１００号明細書
【発明の概要】
【発明が解決しようとする課題】
【０００４】
技術上の問題：二層の構成の窓は遮音効果が悪く、三層の構成の窓は取り付けのステップは煩雑で、取り付けのコストも高い。
【課題を解決するための手段】
【０００５】
上記の問題を解決するために、本発明の実施例は自動で騒音汚染防止可能なインテリジェントホームファニシングをデザインした。本発明の実施例の自動で騒音汚染防止可能なインテリジェントホームファニシングは、壁を含み、前記壁の前側が室内とされ、前記壁の後側が室外とされ、前記壁の中には前方に開口した連通チャンバが設置され、前記連通チャンバの後側内壁の中には後方に開口したリミットチャンバが連通するように設置され、前記リミットチャンバの断面積は前記連通チャンバの断面積より小さく、室外の騒音は前記リミットチャンバと前記連通チャンバとを通って室内に入ることができ、前記連通チャンバの左側内壁の中には収納チャンバが連通するように設置され、前記リミットチャンバの左側内壁が前記収納チャンバに連通しており、前記収納チャンバの中にはスライド可能なフレームが上下対称的に設置され、前記連通チャンバの上下両側の内壁の中にはスライド溝が対称的に、且つ連通するように形成されており、前記スライド溝の左側内壁が前記収納チャンバに連通しており、前記フレームは前記スライド溝に沿ってスライドでき、両側の前記フレームの間には遮音装置と振動装置とが連結され、前記フレームは前記遮音装置を連動させて前記連通チャンバの中に滑り込ませて前記リミットチャンバを遮ることができ、さらに前記リミットチャンバと室内とを仕切り、さらに室内に入る騒音を減少でき、前記振動装置は前記遮音装置の遮音効果を高められ、上側の前記フレームの中には駆動装置が設置され、前記駆動装置は前記遮音装置と前記振動装置とを一緒に駆動でき、前記収納チャンバの左側内壁の中には平行移動装置が設置され、前記平行移動装置は前記フレームを駆動してスライドさせることができ、前記壁の後端には騒音計が固定的に連結され、前記騒音計によって室外の騒音の大きさをリアルタイムに監視し、前記騒音計は前記平行移動装置に通電できるように連結され、前記騒音計によって監視された室外の騒音は大きい時に、前記平行移動装置を始動し、それによって前記フレームを駆動して前記スライド溝の中に滑り込ませ、前記遮音装置と前記振動装置とを通して音を遮断し、前記騒音計によって監視された室外の騒音が小さい時に、前記平行移動装置を始動し、それによって前記フレームを駆動して前記収納チャンバの中に滑り込ませ、この時に室内と室外とが連通される。
【０００６】
好ましくは、前記スライド溝の右側内壁の中には連通溝が連通するように形成されており、前記連通溝の右側内壁には接触スイッチが固定的に設置され、前記フレームの右端が前記連通溝の中に滑り込んで前記接触スイッチと接触した時に、前記平行移動装置を止め、こうして前記遮音装置は前記リミットチャンバと室内とをちょうど完全に仕切り、前記連通溝のうち対称中心から離れている片側内壁の中にはバネ溝が連通するように形成されており、前記バネ溝の中には引っ掛かりブロックがスライドできるように設置され、前記引っ掛かりブロックのうち対称中心から離れている一端と前記バネ溝のうち対称中心から離れている片側内壁との間には電磁バネが固定的に連結され、前記電磁バネを通電させると、前記電磁バネは長く伸びて前記引っ掛かりブロックを押し動かしてスライドさせ、前記フレームの中には引っ掛かり溝が上下に貫通するように形成されており、前記フレームの右端が前記接触スイッチと接触した時、前記引っ掛かりブロックが前記引っ掛かり溝に正対し、この時に前記引っ掛かりブロックはスライドして前記引っ掛かり溝の中に伸びて前記フレームを引っ掛からせることができ、それによって前記フレームがスライドすることを避けられる。
【０００７】
有益なように、前記駆動装置は上側の前記フレームの中に設置された空きチャンバを含み、前記空きチャンバの中には固定ギヤが回転できるように設置され、前記固定ギヤの中にはモーター軸が固定的に連結され、前記空きチャンバの後側内壁の中には小モーターが固定的に設置され、前記小モーターが前記接触スイッチに通電できるように連結され、前記モーター軸の後端が前記小モーターに動力が伝達できるように連結され、前記固定ギヤの下端にはスライド可能なスライドギヤが噛み合うように設置され、前記スライドギヤの中には快速スクリューがスプラインによって連結され、前記快速スクリューの前端が前記遮音装置に連結され、前記スライドギヤの前端にはプッシュロッドが回転できるように連結され、前記プッシュロッドの前端が前記遮音装置に連結され、前記プッシュロッドと前記快速スクリューとの間が回転できるように連結され、前記空きチャンバの前側内壁の中にはギヤチャンバが設置され、前記モーター軸の前端が前記ギヤチャンバの中に伸びており、また前記モーター軸の前端には主動ギヤが固定的に連結され、前記主動ギヤの左端には従動ギヤが噛み合うように設置され、前記従動ギヤの後端には連結軸が固定的に連結され、前記従動ギヤの後側には前記連結軸の外面に固定的に連結された扇状ギヤが回転できるように設置され、前記扇状ギヤの前後両端には平歯車が対称的に、且つ噛み合うことができるように設置され、前記平歯車の中には長回転軸が固定的に連結され、前記長回転軸の左端が前記振動装置に連結されている。
【０００８】
好ましくは、前記空きチャンバの前側内壁の中には抜き孔が連通するように設置され、前記抜き孔の上側内壁の中には復帰溝が連通するように形成されており、前記復帰溝の中には連結ブロックがスライドできるように設置され、前記連結ブロックの下端には前記プッシュロッドが固定的に連結され、前記連結ブロックの後端と前記復帰溝の後側内壁との間には復帰バネが固定的に連結されている。
【０００９】
有益なうように、前記遮音装置は前記フレームの中に対称中心に向いて開口するように形成された凹溝を含み、上側の前記凹溝の後側内壁が前記抜き孔に連通しており、前記プッシュロッドの前端が伸びて上側の前記凹溝の中に入り、前記快速スクリューの前端が上側の前記凹溝の前側内壁に回転できるように連結され、両側の前記凹溝のうち対称中心から離れている片側内壁の間には中間仕切り板が固定的に連結され、前記中間仕切り板と前記快速スクリューとの間が回転できるように連結され、両側の前記凹溝の間には前仕切り板と後仕切り板とが前後へスライドできるように設置され、前記前仕切り板が前記中間仕切り板の前側に位置しており、前記後仕切り板が前記中間仕切り板の後側に位置しており、前記前仕切り板と前記後仕切り板とが前記快速スクリューにネジ山によって連結され、また前記前仕切り板と前記後仕切り板とのネジ山による連結する方向は逆である。
【００１０】
好ましくは、両側の前記凹溝の前後内壁の間には三本の固定軸が固定的に連結され、前記前仕切り板と前記後仕切り板とが前記固定軸にスライドできるように連結され、前記中間仕切り板が前記固定軸に固定的に連結され、前記固定軸は前記前仕切り板と、前記後仕切り板とのスライドをガイドすることができる。
【００１１】
有益なように、前記振動装置は前記凹溝のうち対称中心から離れている片側内壁の中に設置された膜巻きチャンバを含み、前記膜巻きチャンバの中には膜巻き輪が前後対称的に、且つ回転できるように設置され、上下二つの前記膜巻き輪の間には反射薄膜が巻き付いており、前側の前記反射薄膜が前記前仕切り板と前記中間仕切り板との間に位置しており、後側の前記反射薄膜が前記中間仕切り板と前記後仕切り板との間に位置しており、二本の前記長回転軸の左端が伸びて上側の前記膜巻きチャンバの中に入り、上側の二つの前記膜巻き輪がそれぞれ二本の前記長回転軸に固定的に連結され、下側の二つの前記膜巻き輪の中には捻れ軸が固定的に連結され、前記捻れ軸が下側の前記膜巻きチャンバの左右内壁の間に回転できるように連結されている。
【００１２】
好ましくは、下側の前記膜巻き輪の左右両端と下側の前記膜巻きチャンバの左右内壁の間にはトーションバネが固定的に連結されている。
【００１３】
有益なように、前記平行移動装置は前記収納チャンバの上下両側内壁の中に上下対称的に、且つ連通するように形成されたスライドガイド溝を含み、前記スライドガイド溝の中にはスライドガイドブロックがスライドできるように設置され、前記スライドガイドブロックのうち対称中心に近接した一端がそれぞれ上下両側の前記フレームに固定的に連結され、前記スライドガイド溝の左右両側内壁の間には緩速スクリューが回転できるように連結され、前記スライドガイドブロックが前記緩速スクリューにネジ山によって連結され、前記スライドガイド溝の左側内壁の中には減速チャンバが設置され、前記減速チャンバの中にはウォームホイールが回転できるように設置され、前記緩速スクリューの左端が伸びて前記減速チャンバの中に入っており、且つ前記ウォームホイールに固定的に連結され、前記ウォームホイールの下端にはウォームが噛み合うように設置され、前記ウォームの中にはタイミング軸が固定的に連結され、前記減速チャンバの前側内壁の中には伝動チャンバが設置され、前記タイミング軸の前端が伸びて前記伝動チャンバの中に入っており、また前記タイミング軸の前端にはタイミングプーリが固定的に連結され、両側の前記タイミングプーリの間にはタイミングベルトが連結され、前記伝動チャンバの前側内壁の中にはステッピングモーターが固定的に設置され、前記ステッピングモーターが前記騒音計と前記接触スイッチとに通電できるように連結され、上側の前記タイミング軸の前端が前記ステッピングモーターに動力が伝達できるように連結されている。
【発明の効果】
【００１４】
本発明の有益な効果は：本発明は一つの固定的に取り付けられた遮音板と二つのスライドできるように取り付けられた遮音板とによって三層の遮音窓を構成し、遮音の効果がよくなって取り付けるコストも低くなり、近接している二つの遮音板の間には振動可能な反射薄膜があり、騒音音波の反射を強化し、また室内に入る騒音を減少し、遮音効果を向上させ、また騒音計によって室外の騒音の大きさを監視し、それに自動的に窓を開け又は閉めることを制御できる。
【図面の簡単な説明】
【００１５】
説明しやすいために、本発明を下記の具体的な実施例及び附図をもって詳しく説明する。下記に図１〜９をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の自動で騒音汚染防止可能なインテリジェントホームファニシングの全体構成概略図
【図２】図２は図１の「Ａ―Ａ」方向の構成概略図
【図３】図３は図１の「Ｂ―Ｂ」方向の構成概略図
【図４】図４は図１の「Ｃ―Ｃ」方向の構成概略図
【図５】図５は図１の「Ｄ―Ｄ」方向の構成概略図
【図６】図６は図１の「Ｅ」の拡大概略図
【図７】図７は図４の「Ｆ―Ｆ」方向の構成概略図
【図８】図８は図４の「Ｇ―Ｇ」方向の構成概略図
【図９】図９は図５の「Ｈ」の拡大概略図
【発明を実施するための形態】
【００１７】
本発明は自動で騒音汚染防止可能なインテリジェントホームファニシングに関わり、主に室外の騒音汚染を防止するのに用いられ、下記に本発明の附図を合わせて本発明についてさらなる説明を行う。
【００１８】
本発明に記載の自動で騒音汚染防止可能なインテリジェントホームファニシングは、壁１１を含み、前記壁１１の前側が室内とされ、前記壁１１の後側が室外とされ、前記壁１１の中には前方に開口した連通チャンバ２４が設置され、前記連通チャンバ２４の後側内壁の中には後方に開口したリミットチャンバ２３が連通するように設置され、前記リミットチャンバ２３の断面積は前記連通チャンバ２４の断面積より小さく、室外の騒音は前記リミットチャンバ２３と前記連通チャンバ２４とを通って室内に入ることができ、前記連通チャンバ２４の左側内壁の中には収納チャンバ１２が連通するように設置され、前記リミットチャンバ２３の左側内壁が前記収納チャンバ１２に連通しており、前記収納チャンバ１２の中にはスライド可能なフレーム２７が上下対称的に設置され、前記連通チャンバ２４の上下両側の内壁の中にはスライド溝２５が対称的に、且つ連通するように形成されており、前記スライド溝２５の左側内壁が前記収納チャンバ１２に連通しており、前記フレーム２７は前記スライド溝２５に沿ってスライドでき、両側の前記フレーム２７の間には遮音装置１００と振動装置１０２とが連結され、前記フレーム２７は前記遮音装置１００を連動させて前記連通チャンバ２４の中に滑り込ませて前記リミットチャンバ２３を遮ることができ、さらに前記リミットチャンバ２３と室内とを仕切り、さらに室内に入る騒音を減少でき、前記振動装置１０２は前記遮音装置１００の遮音効果を高められ、上側の前記フレーム２７の中には駆動装置１０１が設置され、前記駆動装置１０１は前記遮音装置１００と前記振動装置１０２とを一緒に駆動でき、前記収納チャンバ１２の左側内壁の中には平行移動装置１０３が設置され、前記平行移動装置１０３は前記フレーム２７を駆動してスライドさせることができ、前記壁１１の後端には騒音計３３が固定的に連結され、前記騒音計３３によって室外の騒音の大きさをリアルタイムに監視し、前記騒音計３３は前記平行移動装置１０３に通電できるように連結され、前記騒音計３３によって監視された室外の騒音は大きい時に、前記平行移動装置１０３を始動し、それによって前記フレーム２７を駆動して前記スライド溝２５の中に滑り込ませ、前記遮音装置１００と前記振動装置１０２とを通して音を遮断し、前記騒音計３３によって監視された室外の騒音が小さい時に、前記平行移動装置１０３を始動し、それによって前記フレーム２７を駆動して前記収納チャンバ１２の中に滑り込ませ、この時に室内と室外とが連通される。
【００１９】
有益なように、前記スライド溝２５の右側内壁の中には連通溝４１が連通するように形成されており、前記連通溝４１の右側内壁には接触スイッチ４２が固定的に設置され、前記フレーム２７の右端が前記連通溝４１の中に滑り込んで前記接触スイッチ４２と接触した時に、前記平行移動装置１０３を止め、こうして前記遮音装置１００は前記リミットチャンバ２３と室内とをちょうど完全に仕切り、前記連通溝４１のうち対称中心から離れている片側内壁の中にはバネ溝４５が連通するように形成されており、前記バネ溝４５の中には引っ掛かりブロック４３がスライドできるように設置され、前記引っ掛かりブロック４３のうち対称中心から離れている一端と前記バネ溝４５のうち対称中心から離れている片側内壁との間には電磁バネ４４が固定的に連結され、前記電磁バネ４４を通電させると、前記電磁バネ４４は長く伸びて前記引っ掛かりブロック４３を押し動かしてスライドさせ、前記フレーム２７の中には引っ掛かり溝２６が上下に貫通するように形成されており、前記フレーム２７の右端が前記接触スイッチ４２と接触した時、前記引っ掛かりブロック４３が前記引っ掛かり溝２６に正対し、この時に前記引っ掛かりブロック４３はスライドして前記引っ掛かり溝２６の中に伸びて前記フレーム２７を引っ掛からせることができ、それによって前記フレーム２７がスライドすることを避けられる。
【００２０】
実施例によって、下記に前記駆動装置１０１について詳しく説明し、前記駆動装置１０１は上側の前記フレーム２７の中に設置された空きチャンバ５７を含み、前記空きチャンバ５７の中には固定ギヤ５９が回転できるように設置され、前記固定ギヤ５９の中にはモーター軸５３が固定的に連結され、前記空きチャンバ５７の後側内壁の中には小モーター５８が固定的に設置され、前記小モーター５８が前記接触スイッチ４２に通電できるように連結され、前記モーター軸５３の後端が前記小モーター５８に動力が伝達できるように連結され、前記固定ギヤ５９の下端にはスライド可能なスライドギヤ５６が噛み合うように設置され、前記スライドギヤ５６の中には快速スクリュー２２がスプラインによって連結され、前記快速スクリュー２２の前端が前記遮音装置１００に連結され、前記スライドギヤ５６の前端にはプッシュロッド５４が回転できるように連結され、前記プッシュロッド５４の前端が前記遮音装置１００に連結され、前記プッシュロッド５４と前記快速スクリュー２２との間が回転できるように連結され、前記空きチャンバ５７の前側内壁の中にはギヤチャンバ４９が設置され、前記モーター軸５３の前端が前記ギヤチャンバ４９の中に伸びており、また前記モーター軸５３の前端には主動ギヤ５２が固定的に連結され、前記主動ギヤ５２の左端には従動ギヤ５１が噛み合うように設置され、前記従動ギヤ５１の後端には連結軸５０が固定的に連結され、前記従動ギヤ５１の後側には前記連結軸５０の外面に固定的に連結された扇状ギヤ４７が回転できるように設置され、前記扇状ギヤ４７の前後両端には平歯車４８が対称的に、且つ噛み合うことができるように設置され、前記平歯車４８の中には長回転軸３８が固定的に連結され、前記長回転軸３８の左端が前記振動装置１０２に連結されている。
【００２１】
有益なように、前記空きチャンバ５７の前側内壁の中には抜き孔５５が連通するように設置され、前記抜き孔５５の上側内壁の中には復帰溝６０が連通するように形成されており、前記復帰溝６０の中には連結ブロック６２がスライドできるように設置され、前記連結ブロック６２の下端には前記プッシュロッド５４が固定的に連結され、前記連結ブロック６２の後端と前記復帰溝６０の後側内壁との間には復帰バネ６１が固定的に連結されている。
【００２２】
実施例によって、下記に前記遮音装置１００について詳しく説明し、前記遮音装置１００は前記フレーム２７の中に対称中心に向いて開口するように形成された凹溝２９を含み、上側の前記凹溝２９の後側内壁が前記抜き孔５５に連通しており、前記プッシュロッド５４の前端が伸びて上側の前記凹溝２９の中に入り、前記快速スクリュー２２の前端が上側の前記凹溝２９の前側内壁に回転できるように連結され、両側の前記凹溝２９のうち対称中心から離れている片側内壁の間には中間仕切り板３１が固定的に連結され、前記中間仕切り板３１と前記快速スクリュー２２との間が回転できるように連結され、両側の前記凹溝２９の間には前仕切り板２１と後仕切り板３２とが前後へスライドできるように設置され、前記前仕切り板２１が前記中間仕切り板３１の前側に位置しており、前記後仕切り板３２が前記中間仕切り板３１の後側に位置しており、前記前仕切り板２１と前記後仕切り板３２とが前記快速スクリュー２２にネジ山によって連結され、また前記前仕切り板２１と前記後仕切り板３２とのネジ山による連結する方向は逆である。
【００２３】
有益なように、両側の前記凹溝２９の前後内壁の間には三本の固定軸２８が固定的に連結され、前記前仕切り板２１と前記後仕切り板３２とが前記固定軸２８にスライドできるように連結され、前記中間仕切り板３１が前記固定軸２８に固定的に連結され、前記固定軸２８は前記前仕切り板２１と、前記後仕切り板３２とのスライドをガイドすることができる。
【００２４】
実施例によって、下記に前記振動装置１０２について詳しく説明し、前記振動装置１０２は前記凹溝２９のうち対称中心から離れている片側内壁の中に設置された膜巻きチャンバ３９を含み、前記膜巻きチャンバ３９の中には膜巻き輪４０が前後対称的に、且つ回転できるように設置され、上下二つの前記膜巻き輪４０の間には反射薄膜３０が巻き付いており、前側の前記反射薄膜３０が前記前仕切り板２１と前記中間仕切り板３１との間に位置しており、後側の前記反射薄膜３０が前記中間仕切り板３１と前記後仕切り板３２との間に位置しており、二本の前記長回転軸３８の左端が伸びて上側の前記膜巻きチャンバ３９の中に入り、上側の二つの前記膜巻き輪４０がそれぞれ二本の前記長回転軸３８に固定的に連結され、下側の二つの前記膜巻き輪４０の中には捻れ軸６３が固定的に連結され、前記捻れ軸６３が下側の前記膜巻きチャンバ３９の左右内壁の間に回転できるように連結されている。
【００２５】
有益なように、下側の前記膜巻き輪４０の左右両端と下側の前記膜巻きチャンバ３９の左右内壁の間にはトーションバネ４６が固定的に連結されている。
【００２６】
実施例によって、下記に前記平行移動装置１０３について詳しく説明し、前記平行移動装置１０３は前記収納チャンバ１２の上下両側内壁の中に上下対称的に、且つ連通するように形成されたスライドガイド溝１７を含み、前記スライドガイド溝１７の中にはスライドガイドブロック１８がスライドできるように設置され、前記スライドガイドブロック１８のうち対称中心に近接した一端がそれぞれ上下両側の前記フレーム２７に固定的に連結され、前記スライドガイド溝１７の左右両側内壁の間には緩速スクリュー２０が回転できるように連結され、前記スライドガイドブロック１８が前記緩速スクリュー２０にネジ山によって連結され、前記スライドガイド溝１７の左側内壁の中には減速チャンバ１６が設置され、前記減速チャンバ１６の中にはウォームホイール１５が回転できるように設置され、前記緩速スクリュー２０の左端が伸びて前記減速チャンバ１６の中に入っており、且つ前記ウォームホイール１５に固定的に連結され、前記ウォームホイール１５の下端にはウォーム１３が噛み合うように設置され、前記ウォーム１３の中にはタイミング軸１４が固定的に連結され、前記減速チャンバ１６の前側内壁の中には伝動チャンバ３７が設置され、前記タイミング軸１４の前端が伸びて前記伝動チャンバ３７の中に入っており、また前記タイミング軸１４の前端にはタイミングプーリ３５が固定的に連結され、両側の前記タイミングプーリ３５の間にはタイミングベルト３６が連結され、前記伝動チャンバ３７の前側内壁の中にはステッピングモーター３４が固定的に設置され、前記ステッピングモーター３４が前記騒音計３３と前記接触スイッチ４２とに通電できるように連結され、上側の前記タイミング軸１４の前端が前記ステッピングモーター３４に動力が伝達できるように連結されている。
【００２７】
下記に図１〜９を合わせて本発明の自動で騒音汚染防止可能なインテリジェントホームファニシングの使用ステップを詳しく説明する：
【００２８】
初期状態の時に、フレーム２７が収納チャンバ１２の中に位置しており、室内と室外とがリミットチャンバ２３と連通チャンバ２４とによって連通されており、前仕切り板２１と後仕切り板３２とが中間仕切り板３１に近接しており、且つ反射薄膜３０をきつく挟んでおり、プッシュロッド５４が上側の凹溝２９の中に伸びており、復帰バネ６１が正常状態にあり、引っ掛かりブロック４３がバネ溝４５の中に位置しており、電磁バネ４４が通電していない状態にある。
【００２９】
騒音計３３によって室外の騒音の大きさをリアルタイムに監視し、前記騒音計３３によって監視された室外の騒音は大きい時に、ステッピングモーター３４を始動し、さらに上側のタイミング軸１４によって上側のタイミングプーリ３５を回転連動させ、さらにタイミングベルト３６によって下側のタイミングプーリ３５を回転連動させ、さらに下側のタイミング軸１４を回転連動させ、この時に両側のタイミング軸１４が同期に回転し、タイミング軸１４がウォーム１３を回転連動させ、さらにウォームホイール１５を回転連動させ、さらに緩速スクリュー２０によってスライドガイドブロック１８をスライド連動させ、さらにフレーム２７をスライド連動させてスライド溝２５の中に入らせ、さらに前仕切り板２１と、中間仕切り板３１と後仕切り板３２とをスライド連動させ、且つリミットチャンバ２３に正対させ、フレーム２７が連通溝４１の中に滑り込み、且つ接触スイッチ４２と接触した時に、小モーター５８を始動し、且つステッピングモーター３４を止め、ウォーム１３とウォームホイール１５との間が緩速で回転することで、フレーム２７が緩速でスライドし、衝突することを避け、この時に、引っ掛かりブロック４３が引っ掛かり溝２６に正対し、電磁バネ４４を通電させ、さらに電磁バネ４４が長く伸びて引っ掛かりブロック４３を押し動かしてスライドさせ、さらに引っ掛かりブロック４３が引っ掛かり溝２６の中に滑り込み、且つフレーム２７を引っ掛からせ、小モーター５８がモーター軸５３によって固定ギヤ５９を回転連動させ、さらにスライドギヤ５６を回転連動させ、さらに快速スクリュー２２を回転連動させ、さらに前仕切り板２１と後仕切り板３２とを中間仕切り板３１から離れる方向にスライド連動させ、この時、前仕切り板２１と後仕切り板３２とが反射薄膜３０をきつく挟まなくなり、反射薄膜３０が張らされた状態にあり、後仕切り板３２がプッシュロッド５４と接触した時、後仕切り板３２が抜き孔５５を押し動かしてスライドさせ、さらにスライドギヤ５６をスライド連動させ、スライドギヤ５６が固定ギヤ５９との噛み合いから離脱した時、後仕切り板３２とプッシュロッド５４とがスライドしなくなり、この時、復帰バネ６１は弾力作用の下でプッシュロッド５４をスライド連動させる傾向があり、この時、スライドギヤ５６がちょうど噛み合った状態にあり、スライドギヤ５６が固定ギヤ５９と噛み合い始める時、快速スクリュー２２によって後仕切り板３２をスライド連動させ、さらにプッシュロッド５４によってスライドギヤ５６を押し動かしてスライドさせ、且つ再び固定ギヤ５９との噛み合いから離脱し、この時、後仕切り板３２がちょうどリミットチャンバ２３を仕切り、さらに前仕切り板２１と、中間仕切り板３１と後仕切り板３２とによって室内に入る騒音を減少でき、モーター軸５３が回転し、且つ主動ギヤ５２を回転連動させ、さらに従動ギヤ５１を回転連動させ、さらに連結軸５０によって扇状ギヤ４７を回転連動させ、さらに平歯車４８を周期的に回転連動させ、さらに長回転軸３８を周期的に回転連動させ、さらに上側の膜巻き輪４０を周期的に回転連動させ、且つ反射薄膜３０を巻き付け、さらに反射薄膜３０によって下側の膜巻き輪４０を回転連動させ、さらにトーションバネ４６を捻じ、扇状ギヤ４７が平歯車４８との噛み合いから離脱した時、トーションバネ４６の弾力作用の下で下側の膜巻き輪４０を逆方向に回転連動させ、さらに逆方向に反射薄膜３０を巻き付け、さらに上側の膜巻き輪４０を逆方向に回転連動させ、下側の膜巻き輪４０はトーションバネ４６の弾力作用の下で逆転角度が上側の膜巻き輪４０の逆転角度より小さく、この時、反射薄膜３０が張らさなくなり、且つ緩み状態にあり、この時、反射薄膜３０が前仕切り板２１と、中間仕切り板３１と後仕切り板３２とに正対した面積は増え、さらに反射薄膜３０が騒音音波への反射を強化し、さらに室内に入る騒音を減少でき、遮音効果を向上させ、騒音計３３によって監視された室外の騒音は小さい時、電磁バネ４４を停電させ、さらに電磁バネ４４の弾力作用の下で引っ掛かりブロック４３をスライド連動させ、且つ引っ掛かり溝２６から離脱させ、この時、小モーター５８を逆方向に回転させ、この時、後仕切り板３２が中間仕切り板３１に近接した方向にスライドし、復帰バネ６１の弾力作用の下で、プッシュロッド５４をスライド連動させ、さらにスライドギヤ５６をスライド連動させ、且つ固定ギヤ５９と完全に噛み合わせ、それと同時に前仕切り板２１を中間仕切り板３１に近接した方向にスライド連動させ、それと同時にステッピングモーター３４を逆方向に回転させ、さらにフレーム２７を収納チャンバ１２の中に滑り込ませ、さらに前仕切り板２１と、中間仕切り板３１と、後仕切り板３２とを収納すると同時に室内と室外とを連通する。
【００３０】
本発明の有益な効果は：本発明は一つの固定的に取り付けられた遮音板と二つのスライドできるように取り付けられた遮音板とによって三層の遮音窓を構成し、遮音の効果がよくなって取り付けるコストも低くなり、近接している二つの遮音板の間には振動可能な反射薄膜があり、騒音音波の反射を強化し、また室内に入る騒音を減少し、遮音効果を向上させ、また騒音計によって室外の騒音の大きさを監視し、それに自動的に窓を開け又は閉めることを制御できる。
【００３１】
上記の方式によって、当業者は本発明の範囲内で作動モードに基づいて様々な変わりを行うことができる。